(57)【要約】【課題】  選択子の揺動軸方向の各ポジションにおいて機能を選択するときに誤って他のポジションに移動することを防止し、１個の選択子で多機能で使いやすいＧＵＩを実現するディジタルカメラを提供する。【解決手段】  本発明に係るディジタルカメラは、撮影対象の光学像をディジタル画像データとして記憶するディジタルカメラにおいて、揺動可能な選択子であって、前記選択子の揺動軸方向に異なる複数のポジションに移動し、各ポジションにおいて揺動することにより前記ディジタルカメラの機能を選択する選択子を備え、複数ポジションのうち少なくとも一つのポジションにおいて、複数の機能を選択する。【選択図】  図１
2005128297.tif 000002
【特許請求の範囲】
【請求項１】
撮影対象の光学像をディジタル画像データとして記憶するディジタルカメラにおいて、
揺動可能な選択子であって、前記選択子の揺動軸方向に異なる複数のポジションに移動し、各ポジションにおいて揺動することにより前記ディジタルカメラの機能を選択する選択子を備え、
前記複数ポジションのうち少なくとも一つのポジションにおいて、複数の機能を選択することを特徴とするディジタルカメラ。
【請求項２】
前記各ポジションにおいて選択される機能は、少なくとも他の一つのポジションにおいて選択される機能により制約されるか、あるいは少なくとも他の一つのポジションにおいて選択される機能を制約することを特徴とする請求項１記載のディジタルカメラ。
【請求項３】
前記各ポジションにおいて選択される機能は、前記揺動軸方向に隣接するポジションにおいて選択される機能により制約されるか、あるいは前記揺動軸方向に隣接するポジションにおいて選択される機能を制約することを特徴とする請求項２記載のディジタルカメラ。
【請求項４】
前記選択子の前記揺動軸方向への動きを各ポジションで規制する規制手段を備えることを特徴とする請求項１から３のいずれか一項記載のディジタルカメラ。
【請求項５】
前記選択子をホームポジションに向けて付勢する付勢手段を備えることを特徴とする請求項１から３のいずれか一項記載のディジタルカメラ。
【発明の詳細な説明】
【技術分野】
【０００１】
本発明はディジタルカメラに関する。
【背景技術】
【０００２】
従来、ディジタルカメラの機能を決定する場合、特許文献１に示されているように、十字キーを用いてカーソルを上下左右に移動してＬＣＤ（Liquid Crystal Display）に表示された機能項目のいずれかを選択し、十字キー全体を押し込むことにより選択した機能項目を決定するディジタルカメラが知られている。
また、特許文献２に開示されているように、ジョグダイヤルを回転してズーム機能またはピント機能を操作するとともに、ジョグダイヤルを押し込むことによりシャッター機能を操作するディジタルカメラが知られている。
【０００３】
【特許文献１】特開２００１−１７７７５８号公報（図３）
【特許文献２】特開２００２−３３３６６０号公報
【発明の開示】
【発明が解決しようとする課題】
【０００４】
しかしながら、特許文献１では、機能項目を選択するために十字キーの上下左右を押し込む方向と、選択した機能項目を決定するために十字キー全体を押し込む方向とが同じであるため、機能項目の選択操作と選択した機能項目の決定操作とを十字キーで誤操作する恐れがある。
また、例えば外装がすべて金属で構成される高級感のあるディジタルカメラに十字キーを組み込むことは困難である。したがって、十字キーに代えて安価でＧＵＩ（Graphical User Interface）の機能に優れている操作キーが望まれる。
【０００５】
また特許文献２では、ジョグダイヤルを回転して操作する力がジョグダイヤルの回転軸と交差する方向に働くので、ジョグダイヤルを回転する操作により、ジョグダイヤルが押し込まれ、誤ってシャッター操作となる恐れがある。また特許文献２では、ジョグダイヤルを回転して押すという操作だけでディジタルカメラの機能を選択するので、機能の選択自由度が低く、ＧＵＩの機能として不十分である。
【０００６】
本発明は、かかる問題に鑑みて創作されたものであって、選択子の揺動軸方向の各ポジションにおいて機能を選択するときに誤って他のポジションに移動することを防止し、１個の選択子で多機能で使いやすいＧＵＩを実現するディジタルカメラを提供することを目的とする。
【課題を解決するための手段】
【０００７】
上記目的を達成するため、本発明に係るディジタルカメラは、撮影対象の光学像をディジタル画像データとして記憶するディジタルカメラにおいて、揺動可能な選択子であって、前記選択子の揺動軸方向に異なる複数のポジションに移動し、各ポジションにおいて揺動することにより前記ディジタルカメラの機能を選択する選択子を備え、前記複数ポジションのうち少なくとも一つのポジションにおいて、複数の機能を選択することを特徴とする。揺動軸方向の異なるポジションに変位し、各ポジションにおいて揺動することにより、一つの選択子で多くの機能を選択できる。さらに、少なくとも一つのポジションにおいて、複数の機能を選択できる。揺動軸方向と、揺動軸方向の各ポジションにおいてディジタルカメラの機能を一つの選択子で選択できるので、ディジタルカメラの機能の選択の自由度が高く、多機能で使いやすいＧＵＩを実現できる。
【０００８】
また、各ポジションで選択子を揺動するときに、選択子を揺動操作する力は揺動軸と交差する向きに働くので、選択子を揺動操作する力が、揺動軸方向に異なる各ポジションに選択子を移動させる方向に働くことを防止できる。したがって、選択子の誤操作を防止できる。
また、揺動軸方向に複数のポジションに移動し、各ポジションにおいて揺動する選択子は金属で形成することが望ましい。このような選択子は、全ての外装を金属製にした高級感のあるディジタルカメラに好適である。
【０００９】
本発明に係るディジタルカメラでは、前記各ポジションにおいて選択される機能は、少なくとも他の一つのポジションにおいて選択される機能により制約されるか、あるいは少なくとも他の一つのポジションにおいて選択される機能を制約することを特徴とする。揺動軸方向の異なるポジションに変位し、各ポジションにおいて揺動することにより、一つの選択子で多くの機能を選択できる。このとき、各ポジションにおける機能が少なくとも他の一つのポジションにおいて選択される機能により制約されるか、あるいは制約するので、選択子の機械的な動きと選択子の機能の遷移とを関連づけやすい。
【００１０】
また、各ポジションで選択子を揺動するときに、選択子を揺動操作する力は揺動軸と交差する向きに働くので、選択子を揺動操作する力が、揺動軸方向に異なる各ポジションに選択子を移動させる方向に働くことを防止できる。したがって、選択子の誤操作を防止できる。
また本発明に係るディジタルカメラは、前記各ポジションにおいて選択される機能は、前記揺動軸方向に隣接するポジションにおいて選択される機能により制約されるか、あるいは前記揺動軸方向に隣接するポジションにおいて選択される機能を制約することを特徴とする。互いに関連する機能が揺動軸方向に隣接するポジションに存在しているので、選択子の操作の連続性と、機能の関連の連続性とが対応している。したがって、選択子の操作に伴う機能の遷移をユーザが理解しやすい。
【００１１】
また本発明に係るディジタルカメラは、前記選択子の前記揺動軸方向への動きを各ポジションで規制する規制手段を備えることを特徴とする。各ポジションで揺動軸方向への選択子の動きを規制するので、ユーザが各ポジションに選択子を保持する力を加える必要がない。したがって、各ポジションにおいて揺動により操作を決定する作業が容易である。
【００１２】
また本発明に係るディジタルカメラは、前記選択子をホームポジションに付勢する付勢手段を備えることを特徴とする。付勢手段の付勢力により選択子が自動でホームポジションに戻るので、例えば機能項目を決定した後、選択子を手動でホームポジションに戻す必要がない。したがって、次の作業に速やかに移行できる。
【発明を実施するための最良の形態】
【００１３】
以下、本発明を実施するための最良の形態を実施例に基づいて説明する。
図１に、本発明の一実施例に係るディジタルカメラとしてのディジタルスチルカメラ（以下、「ディジタルスチルカメラ」をＤＳＣという）１０の外観を示し、図２にＤＳＣ１０のハードウェア構成のブロック図を示す。まず、ＤＳＣ１０のハードウェア構成について説明する。
【００１４】
図２に示す光学系１２は、レンズ、絞り等で構成されている。光学系１２はイメージセンサ１３の受光面に被写体の光学像を結像させる。
イメージセンサ１３は、２次元空間に離散的に配置された画素とＣＣＤ（Charge Coupled Device）等の電荷転送素子とを備えたエリアイメージセンサである。イメージセンサ１３は、センサコントローラ１７によって駆動される。イメージセンサ１３は、光学系１２により結像される光学像を光電変換して得られる電荷を画素毎に一定時間蓄積し、画素毎の受光量に応じた電気信号を出力する。イメージセンサ１３は、受光面にＣ（Cyan）、Ｍ（Magenta）、Ｙ（Yellow）及びＧ（Green）の４色の補色フィルタ、またはＲ（Red）、Ｇ（Green）及びＢ（Blue）の原色フィルタを設けることによりカラー画像情報を取り込むことが可能である。
【００１５】
Ａ／Ｄ変換部（ＡＤＣ）１４は、イメージセンサ１３から出力される電気信号を量子化してディジタル信号に変換する。具体的には例えば、ＡＤＣ１４は、電気信号に含まれる雑音の低減処理、ゲインの調整による電気信号のレベル調整処理、量子化処理等を行い、少なくとも１２ｂｉｔの画像データを画素毎に出力する。
【００１６】
ディジタル画像処理部１５は、ＡＤＣ１４から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表すディジタル画像を作成する。ここで画像形成処理とは、画素から出力された一色分の輝度情報を近傍の画素の異なる色の輝度情報で補間することにより画素毎にＲ、Ｇ、Ｂ又はＹ、Ｃｂ、Ｃｒの３つの階調値を持つディジタル画像を出力する処理のことをいう。ホワイトバランス補正とは、光源の種類によらず白い被写体が白く見えるように補正する処理のことをいう。一般にディジタルカメラでは、白い被写体を太陽光の下で撮像したときは白く見えても屋内の白熱灯による照明で撮像すると赤みがかって見える。このため、ホワイトバランス補正により白い被写体がディジタル画像上でも白く見えるように補正する。ホワイトバランスをどう補正するかは光源によって異なるため、ＤＳＣ１０は光源の種類をホワイトバランスとしてユーザに設定させ、設定された光源に応じた補正を行う。
【００１７】
撮像手段としての圧縮・伸張部１６は、作成されたディジタル画像を圧縮、又は圧縮されたディジタル画像を伸張する。圧縮・伸張部１６は、具体的には例えば国際規格である非可逆圧縮方式であるＪＰＥＧ形式や、データの切り捨てを伴わない可逆圧縮方式を用いた圧縮を行う。また、圧縮・伸張部１６は圧縮を行わないＴＩＦＦ形式のディジタル画像に変換することも可能に構成されている。ＴＩＦＦ形式の場合の圧縮率は「圧縮なし」ということになる。ＡＤＣ１４から出力されたディジタル信号に対し、画像処理をせずＡＤＣ１４からの出力をそのまま取り出しＲａｗ形式のデータとして記憶部３０に送出し、リムーバブルメモリ３１に記憶させることも可能である。ＪＰＥＧ形式は圧縮率が可変であり、高圧縮率のときはデータ量を減らすことが可能であるが、ディジタル画像の画質は低下することになる。逆に低圧縮率のときは、圧縮後のディジタル画像のデータ量は高圧縮率のときに比べて大きいものの画質の低下を少なくすることができる。
【００１８】
制御部２０は、ＣＰＵ２１、フラッシュメモリ２２、ワークメモリ２３を備える。ＣＰＵ２１はフラッシュメモリ２２に記憶されているコンピュータプログラムを実行することでＤＳＣ１０の全体を制御する。フラッシュメモリ２２は、各種のプログラムやデータなどを記憶するメモリである。フラッシュメモリ２２に記憶する各種のプログラムやデータは所定のサーバからネットワークを介してダウンロードして記憶してもよいし、リムーバブルメモリ３１等のコンピュータ読み取り可能な記憶媒体から読み出して記憶してもよい。ワークメモリ２３は、各種のプログラムやデータを一時的に記憶するためのメモリである。
【００１９】
記憶部３０は、リムーバブルメモリ３１を接続するためのカードスロット、メモリコントローラなどを備える。記憶部３０は制御部２０によって制御され、圧縮・伸張部１６で圧縮されたディジタル画像をリムーバブルメモリ３１へ書き込むことによって記憶する。また、記憶部３０は制御部２０によって制御され、リムーバブルメモリ３１に記憶されているディジタル画像の読み込みも行う。
【００２０】
電源部３６は、電池３７および制御回路などを備え、各部に電気的に接続されている。電池３７は各部に電力を供給する。
次に、ＤＳＣ１０の外観について説明する。ＤＳＣ１０の外装は全て金属製である。
図１に示すスイッチ４７が電源スイッチである。巻き上げレバー４０は、銀塩カメラの操作性を継承するために設けられているものであり、巻き上げレバー４０によって巻き上げ操作を行うことで、メカニカルシャッターを撮影動作可能にするためのシャッターチャージを行うことによりシャッターボタン４３が押下可能になるように構成されている。ダイヤルスイッチ４２は、シャッタースピードや撮像条件の種類などを選択するためのスイッチである。シャッターボタン４３はダイヤルスイッチ４２の中央部に設置されている。
【００２１】
ダイヤルスイッチ４２に隣接して設置されている針式の表示装置４４の外周は回転式ダイヤルとなっており、露出補正を−２ＥＶ〜＋２ＥＶまで１／３ＥＶ刻みで設定可能である。表示装置４４の内周側には、撮影可能な残り画像数、撮像条件としての複数のホワイトバランス及び撮像条件としての複数の圧縮率が表記され、更に、電池３７の電池残量を表す電池残量目盛が表記されている。ホワイトバランスとは本実施例では光源の種類のことをいい、表示装置４４の内周側に、光源の種類又は光源の種類をＤＳＣ１０側で判定するオートモードを表す記号が表記されている。光源を、”オートモード”、”デイライト（太陽光）”、”曇天”、”白熱灯”、”日陰”、”蛍光灯”、”水銀灯”等の内から選択し、ディジタル画像に対してホワイトバランス補正を設定する。また、圧縮率として、Ｒａｗ形式、ＴＩＦＦ形式、高圧縮率または低圧縮率のＪＰＥＧ方式を選択する。このような表示装置４４の内周側に表示されている項目のうち現在選択されている項目は指針によって示されている。ＳＷ(switch)レバー４８を操作しながら後述するジョグダイヤル６０を回すと、表示装置４４の指針を動かし、選択項目を変更できる。また、表示装置４４の内周側に電池残量が表示されている。切り替えスイッチ４６は画角を切り換えるためのスイッチである。
【００２２】
尚、本実施例では撮像条件としてホワイトバランスや圧縮率を例に説明したが、ノーマル、ポートレート、風景、マクロなどの撮影モードに応じて光学像をディジタル画像に変換する場合は撮影モードを撮像条件としてもよい。
ＬＣＤ５０は、ディスプレイコントローラ５２（図２参照）によって制御され、撮影済みのディジタル画像の再生表示や各種の設定メニューなどを表示する。
【００２３】
ディスプレイコントローラ５２は、ＬＣＤ５０の一画面分のデータを格納するためのフレームバッファと、フレームバッファに格納されたデータに基づいてＬＣＤ５０を駆動するための表示回路とを備える。
ＬＣＤ５０の右にＬＣＤ  ＳＷ(switch)５３、ＭＥＮＵ（↑）ＳＷ５４、ＥＮＴＥＲ（↓）ＳＷ５５、ＣＡＮＣＥＬ  ＳＷ５６が設置されている。各ＳＷと選択子６０とを組み合わせてＤＳＣ１０の種々の機能を決定できる。光学ファインダ５８はユーザが撮影対象を視認するために使用する。
【００２４】
選択子６０は、図１の（Ｂ）に示す矢印Ｘ、Ｙ方向に揺動可能であり、選択子６０の揺動軸方向である図１の（Ａ）に示す矢印Ｘ、Ｙ方向に移動可能である。つまり選択子６０は、図３の（Ａ）に示すホームポジションである下ポジションと、図３の（Ｂ）に示すように、下ポジションから選択子６０を上に引き上げた上ポジションとに位置を変更可能であり、図３に示す上下ポジションにおいて揺動可能である。図１に示すように選択子６０には径方向に突出するつまみ部６８が設けられており、ユーザはつまみ部６８に指をかけて揺動することで選択子６０を容易に揺動できる。図３に示すジョグダイヤル６０のポジションに対し、図４および図５に示すように、上ポジションにおいて、ジョグダイヤル６０がＤＳＣ１０の上面から突出しないようにしてもよい。
【００２５】
選択子６０が連結されているシャフトを図６に示す。選択子６０はシャフト６４と連結されている。揺動軸としてのシャフト６４は、選択子６０と揺動するとともに、シャフト６４の長手方向である揺動軸方向に選択子６０とともに移動する。シャフト６４の上部には、環状溝６５、６６が形成されている。選択子６０とともにシャフト６４が揺動軸方向に変位するとき、Ｕ字状のクリップ６７が環状溝６５、６６に嵌合することにより、選択子６０を操作するユーザは、選択子６０が下ポジションまたは上ポジションに達したことを感知する。また、クリップ６７は弾性を有するので、選択子６０の上下ポジションでクリップ６７が環状溝６５または嵌合溝６６に嵌合することにより、選択子６０が揺動軸方向に移動することを規制できる。つまり、環状溝６５、６６およびクリップ６７は規制手段を構成している。シャフト６４には図示しないギアがその回転軸が揺動軸に一致するように嵌合され、ギアの回転を検知することにより選択子６０の揺動及びその方向が検出される。また、シャフト６４の下方には図示しないリーフスイッチ(leaf switch)が設けられている。リーフスイッチは、選択子６０とともに揺動軸方向に移動するシャフト６４によってオン、オフされ、選択子６０が下ポジションにあるか、上ポジションにあるかを検出する。
【００２６】
次に、選択子６０の操作に基づくＤＳＣ１０の機能について説明する。図７、図８および図９はＤＳＣ１０の機能モードの遷移を示している。
撮像を行う場合、電源オフ状態１００から電源スイッチ４７によりＤＳＣ１０の電源をオンにし撮影モード１０２に移行する。また、電源スイッチ４７をＯＦＦすると電源ＯＦＦ状態１００になる。一方、撮影モード１０２に移行してからＬＣＤ  ＳＷ５３をオンすると、再生モード１１０に移行する。撮影モード１０２または再生モード１１０においてＤＳＣ１０の操作を行わず所定の節電移行時間設定に達すると、スリープモード１０４に移行し、ＬＣＤ５０の表示を停止する。スリープモード１０４において、電源スイッチ４７をオフすると電源オフ状態１００に移行し、ＬＣＤ  ＳＷ５３をオンすると再生モード１１０に移行し、シャッターボタン４３を押すと撮影モード１０２に移行する。
【００２７】
再生モード１１０においてＭＥＮＵ（↑）ＳＷ５４を押すと、メインメニュー１３０に移行してＬＣＤ５０にメニューの表示が行われる。また、メインメニュー１３０においてＣＡＮＣＥＬ  ＳＷ５６を押すと再生モード１１０に移行する。
再生モード１１０は、リムーバブルメモリ３１に記憶されている画像をＬＣＤ５０に表示し、画像再生を行うモードである。
【００２８】
再生モード１１０で選択子６０が下ポジションにある場合は、コマ送り／戻しモード１１２である。選択子６０の上下ポジションは、リーフスイッチ８０により検出する。コマ送り／戻しモード１１２で選択子６０を揺動すると、リムーバブルメモリ３１に記憶されている画像が標準表示で順次コマ送り、またはコマ戻しされる。図９の（Ａ）に示すように、標準表示ではリムーバブルメモリ３１に記憶した総画像数と、現在表示している画像番号である画像番号／総画像数２００が表示される。
【００２９】
再生モード１１０において選択子６０を下ポジションから上ポジションに押し上げ選択子６０を揺動すると、現在表示されている画像について、図８に示すように、ＬＣＤ５０に表示するモードを標準表示１１４、簡易情報表示１１６、ヒストグラム表示１１８、ハイライト表示１２０、詳細情報表示１２２、ＧＵＩ(Graphical User Inetrgace)非表示１２４、４分割表示１２６の中から選択して、各種情報をオーバーレイして表示できる。
【００３０】
図９の（Ａ）に示すように、標準表示１１４には、画像に加え、画像番号／総画像数２００が表示される。
図９の（Ｂ）に示すように、簡易情報表示１１６には、画像に加え、現在の画像番号／総画像数２００、ファイル番号＋撮影クオリティ２０２、ファイル保護２０４、撮影日時２０６が表示される。
【００３１】
図９の（Ｃ）に示すように、ヒストグラム表示１１８には、画像に加え、現在の画像番号／総画像数２００とヒストグラム２２０が表示される。
ハイライト表示１２０は、図１０の（Ａ）では明瞭ではないが、白飛びしている箇所を画像上に表示する。
図１０の（Ｂ）に示すように、詳細情報表示１２２には、画像に加え、現在の画像番号／総画像数２００、ファイル番号＋撮影クオリティ２０２、ファイル保護２０４、撮影日時２０６、ファイル番号２０８、シャッタースピード２１０、ホワイトバランス（ＷＢ）２１２、解像度２１４、ＩＳＯ感度２１６、フィルム設定２１８が表示される。
【００３２】
ＧＵＩ非表示１２４は画像のみを表示する。もちろん各情報表示状態で選択子６０を下ポジションにして回転すると画像がコマ送りされて、個々の画像内容に応じて情報表示も変化する。
図１０の（Ｃ）に示すように、４分割表示１２６は、現在の画像番号を始めとして、連続する４つの番号の画像を４分割表示する。４分割表示１２６で選択子６０を揺動すると、現在選択されている画像の枠が強調される。
再生モード１１０において選択子６０を押し下げ下ポジションにすると、選択されていた画像を標準表示１１４で表示し、コマ送り／コマ戻しモード１１２に移行する。
【００３３】
次にメインメニュー１３０における選択子６０の操作について説明する。
メインメニュー１３０において、選択子６０の上下ポジションに関わらず選択子６０を揺動すると、メインメニュー１３０において、削除モード１３２、ロックモード１３４、拡大モード１３６、印刷モード１３８、スライドショーモード１４０、カメラ設定モード１４２に順次移行する。以下、各モードの機能を簡単に説明する。
【００３４】
削除モード１３２は、リムーバブルメモリ３１から画像ファイルを削除するか否かを決定する。ロックモード１３４は、リムーバブルメモリ３１からの画像ファイルの削除を禁止するか否を決定する。拡大モード１３６は、表示画像を拡大、縮小表示する。印刷モード１３８は、画像を印刷するか否かを決定する。スライドショーモード１４０は、画像を順次表示する。カメラ設定モード１４２は、撮影条件の内、画像の白黒またはカラー設定、彩度、またはコントラスト等を設定する。各モードにおけるさらに詳細な機能選択は、選択子６０を含め各種ＳＷとの組み合わせで行う。
【００３５】
ここで、例えばメインメニュー１３０の拡大モード１３６が選択された状態でＥＮＴＥＲ（↓）ＳＷ５５を押すと、詳細な拡大モード１５０に移行する。詳細な拡大モード１５０においてＣＡＮＣＥＬ  ＳＷ５６を押すと、メインメニュー１３０に移行する。
図１１に示すように、拡大モード１５０では、拡大モードであることを明示するために画面の左隅に拡大モードアイコン１５２を表示する。
【００３６】
拡大モード１５０において選択子６０が下ポジションにある場合、選択子６０の揺動方向により、画像を拡大または縮小できる。
拡大モード１５０において選択子６０が上ポジションにある場合、選択子６０を揺動すると、選択子６０の揺動方向により画像を右方向または左方向の水平方向にスクロールさせることができる。
【００３７】
また、拡大モード１５０において、ＭＥＮＵ（↑）ＳＷ５４を押す毎に画像は垂直方向上側に順次スクロール移動し、ＥＮＴＥＲ（↓）ＳＷ５５を押す毎に画像は垂直方向下側に順次スクロール移動する。
以上説明した本発明の一実施例に係るＤＳＣ１０によると、選択子６０は揺動軸方向において上下２個のポジションに移動可能であり、上下ポジション同士で互いに関連するＤＳＣ１０の機能を選択できる。ディジタルカメラの機能を選択子６０で選択できるので、ＤＳＣ１０の機能の選択の自由度が高く、多機能で使いやすいＧＵＩを実現できる。
【００３８】
また、選択子６０は、上下ポジション同士で互いに関連するＤＳＣ１０の機能を選択できる。例えば再生モード１１０では、選択子６０の上ポジションで選択する機能は、下ポジションにおいて選択された機能である特定の画像に関するものであり、下ポジションにおいて選択された特定の画像に関する機能に制約される。また、拡大モード１５０では、上ポジションで画像の水平移動を選択し、下ポジションで画像の拡大、縮小を選択している。つまり、下ポジションで拡大、縮小する画像の水平位置は、上ポジションで選択された画像の水平位置に制約されている。このように選択子６０を揺動軸方向に移動し、上下ポジションの一方で選択された機能が他方で選択された機能を制約することにより、１つの選択子６０で多くの機能を選択できる。したがって、ＤＳＣ１０の機能を選択するスイッチ類を減少できる。
【００３９】
また、選択子６０を揺動する力は、選択子６０の揺動軸と交差する方向に働くので、選択子６０を揺動する力は選択子６０を揺動軸に沿って移動させる力として働かない。したがって、上下ポジションの一方で選択子６０を揺動するときに、誤って他方のポジションに移動する誤操作を防止できる。
【００４０】
（他の実施例）
上記実施例では、選択子６０の揺動軸方向の上下各ポジションにおいて複数の機能を選択できたが、少なくとも揺動軸方向の一つのポジションにおいて複数の機能が選択できればよい。また、選択子６０の上下ポジションでそれぞれ選択される機能は上下ポジションで独立した機能でもよい。つまり、上下ポジションの一方で選択された機能が他方で選択された機能を制約しなくてもよい。
【００４１】
また、上記実施例では、揺動軸方向に異なる上下２個のポジションに選択子６０が変位可能としたが、揺動軸方向に異なる３個以上の複数ポジションに選択子６０が変位可能としてもよい。この場合、選択子６０のより自由な操作性が実現できる。例えば、図１１に示す拡大モードにおいて、ＭＥＮＵ（↑）ＳＷ５４、ＥＮＴＥＲ（↓）ＳＷ５５を用いず、選択子６０だけで拡大／縮小、水平スクロール、垂直スクロールという操作も可能となる。また、選択子６０が揺動軸方向に異なる３個以上の複数ポジションに変位できる場合も上下２箇所のポジションに変位できる場合と同様に、少なくとも揺動軸方向の一つのポジションにおいて複数の機能が選択できればよい。また各ポジションで選択する機能は、他の少なくとも一つのポジションで選択される機能に制約されてもよいし、それぞれ独立していてもよい。
【００４２】
上記実施例では、クリップ６７が環状溝６５、６６に嵌合することにより選択子６０の上下ポジションを保持したが、本発明では、選択子６０を例えばホームポジションである下ポジション側に付勢するスプリング等の付勢手段を設け、選択子６０の操作を停止すると、選択子６０が自動的にホームポジションに戻るようにしてもよい。
【００４３】
上記実施例では、本発明のディジタルカメラをディジタルスチルカメラに適用したが、本発明のディジタルカメラをディジタルビデオカメラに適用してもよい。
【図面の簡単な説明】
【００４４】
【図１】（Ａ）は本発明の一実施例に係るＤＳＣの背面図、（Ｂ）は（Ａ）のＢ方向矢視図。
【図２】本発明の一実施例に係るＤＳＣのハードウェアブロック図。
【図３】（Ａ）は本発明の一実施例に係る選択子の下ポジション、（Ｂ）は上ポジションを示す模式図。
【図４】本実施例の変形例による選択肢のポジションを示す模式図であり、（Ａ）は下ポジション、（Ｂ）は上ポジションである。
【図５】本実施例の変形例によるジョグダイヤルのポジションを示す模式図であり、（Ａ）は下ポジション、（Ｂ）は上ポジションである。
【図６】本発明の一実施例に係るシャフトを示す模式図。
【図７】本発明の一実施例に係る機能モードの遷移を示すフロー。
【図８】本発明の一実施例に係る再生モードの機能を示すフロー。
【図９】本発明の一実施例に係る再生モードの各種状態を示す説明図。
【図１０】本発明の一実施例に係る再生モードの各種状態を示す説明図。
【図１１】本発明の一実施例に係る拡大モードの機能を示すフロー。
【符号の説明】
【００４５】
１０  ディジタルスチルカメラ（ディジタルカメラ）、５０  ＬＣＤ、６０  選択子、６４、６５  環状溝（規制手段）、６７  クリップ（規制手段）
【図１】
2005128297.tif 000003
【図２】
2005128297.tif 000004
【図３】
2005128297.tif 000005
【図４】
2005128297.tif 000006
【図５】
2005128297.tif 000007
【図６】
2005128297.tif 000008
【図７】
2005128297.tif 000009
【図８】
2005128297.tif 000010
【図９】
2005128297.tif 000011
【図１０】
2005128297.tif 000012
【図１１】
2005128297.tif 000013